【手続補正書】
【提出日】平成24年12月5日(2012.12.5)
【手続補正１】
【補正対象書類名】特許請求の範囲
【補正対象項目名】全文
【補正方法】変更
【補正の内容】
【特許請求の範囲】
【請求項１】
患者用蘇生／呼吸システムであって、
ハウジングと、
ハウジング内に配置されたシステムコントロールユニットとを有し、
システムコントロールユニットが、
タイマーモジュールと、
第１の圧縮ガス源から膨張可能腹部用カフに向かう圧縮ガスの第１の流れを制御する第１の空気圧モジュール、第１のガス源から膨張可能胸部用カフに向かう圧縮ガスの第２の流れを制御する第２の空気圧モジュール、および、第１のガス源から膨張可能脚部用カフに向かう圧縮ガスの第３の流れを制御する第３の空気圧モジュールを含む複数の空気圧モジュールと、
第２の圧縮ガス源から患者用人工呼吸モジュールに向かう呼吸可能ガスの流れを制御して、患者用人工呼吸モジュールおよび患者の肺と第２の圧縮ガス源とを周期的に接続する人工呼吸用供給モジュールと、
第１の圧縮ガス源からの圧縮ガスの前記第１の流れ、前記第２の流れ、および前記第３の流れを外気によって希薄化する空気導入システムとを備え、
前記空気導入システムが、
空気圧モジュールそれぞれに対して、チャンバーとチェックバルブとに流体接続されたバルブ用ノズルを有し、
第１の圧縮ガス源からの空気がノズルを高速で通過することにより、前記チャンバー内の空気圧が減圧して前記チェックバルブが開き、圧縮ガスを希薄化するための外気が取り込まれ、
タイマーモジュールが、蘇生モードにおいて、複数の空気圧モジュールを自動的に周期的に動作させて、複数のカフを周期的に膨張および収縮する、患者用蘇生／呼吸システム。
【請求項２】
前記タイマーモジュールが、電子タイマーモジュールであって、
前記複数の空気圧モジュールが、前記電子タイマーモジュールによって電子制御される、請求項１のシステム。
【請求項３】
システムは携帯可能であって、
システムコントロールユニットが、システムに電力を供給するバッテリーを備える、請求項１のシステム。
【請求項４】
第１のガス源と接続するための第１のホース用コネクタと、
第２のガス源と接続するための第２のホース用コネクタと、
人工呼吸用供給モジュールに流体接続され、患者用人工呼吸モジュールに着脱可能に接続するように構成されている第３のホース用コネクタと、
第１の空気圧モジュールに流体接続され、膨張可能胸部用カフに接続されたホースと着脱可能に接続するように構成されている第４のホース用コネクタと、
第２の空気圧モジュールに流体接続され、膨張可能腹部用カフに接続されたホースと着脱可能に接続するように構成されている第５のホース用コネクタと、
第３の空気圧モジュールに流体接続され、膨張可能脚部用カフに接続されたホースと着脱可能に接続するように構成されている第６のホース用コネクタとをさらに有する、請求項１のシステム。
【請求項５】
使い捨て可能な患者用キットをさらに有し、
キットが、
患者の胸部上を広がるように構成された膨張可能胸部用カフと、
患者の腹部上を広がるように構成された膨張可能腹部用カフと、
患者の一方の脚の上部上を少なくとも広がるように構成された膨張可能脚部用カフと、
患者用人工呼吸モジュールとを有し、
患者用人工呼吸モジュールが、
フェイスマスクと患者用バルブとを備え、
前記胸部用カフ、前記腹部用カフ、前記脚部用カフ、および前記患者用人工呼吸モジュールが、前記システムコントロールユニットに着脱可能に接続するように構成されている、請求項１のシステム。
【請求項６】
システムが携帯型のシステムであって、
第１の圧縮ガス源を保持する第１の携帯型タンクと、
第２のガス源を保持する第２の携帯型タンクとをさらに有し、
呼吸可能ガスが酸素である、請求項１のシステム。
【請求項７】
タイマーモジュールが、前記蘇生モード中、胸部用カフを腹部用カフとは逆位相で動作させるように構成されている、請求項１のシステム。
【請求項８】
タイマーモジュールが、前記蘇生モード中、人工呼吸用供給モジュールの動作を、患者の胃への送気が防止されるように、腹部用カフに同期させるように構成されている、請求項１のシステム。
【請求項９】
タイマーモジュールが、胸部用カフが５回動作する毎に脚部用カフが動作するように、第２の空気圧モジュールと第３の空気圧モジュールとを制御するように構成されている、請求項１のシステム。
【請求項１０】
電子タイマーモジュールが、カウンタと、タイムベースを提供するレジスタ−キャパシタ共振回路とを有するカウンタータイマー備える、請求項２のシステム。
【請求項１１】
電子タイマーモジュールが、Ｎ段階の動作シーケンスを提供するためにリセット可能である、請求項１０のシステム。
【請求項１２】
前記電子タイマーモジュールが、前記タイムベースから、第１、第２、および第３の空気圧モジュールと前記人工呼吸用供給モジュールとを順番に且つ同期させて動作させることが可能である、請求項１０のシステム。
【請求項１３】
前記電子タイマーモジュールが、第１、第２、および第３の空気圧モジュールそれぞれに対して、電気駆動式空気バルブと、スイッチ回路とをさらに有し、
スイッチ回路が、バッテリーによって供給された全電圧を、バルブの状態を移行するバルブアクチュエータ回路に一時的に供給するためのレジスタ−キャパシタ共振回路を備えることにより、電力の消費および散逸を減少させるとともにアクチュエータ回路の励起とバルブの状態とを維持する電圧を低く抑える、請求項１０のシステム。
【請求項１４】
前記スイッチ回路が、バッテリー電力を効率的に使用し、スイッチの発熱を最小化するために、ＯＮ抵抗が低い高電流ＭＯＳ−ＦＥＴスイッチを備える、請求項１３のシステム。
【請求項１５】
電子タイマーモジュールが、カウンタリセットパルスを生成するために、シュミットトリガーゲートと、レジスタ−キャパシタ回路とを備える、請求項１０のシステム。
【請求項１６】
タイマーモジュールが、前記第１、前記第２、および前記第３の空気圧モジュール、および人工呼吸用供給モジュールそれぞれのための複数の電気駆動式空気バルブと、適切なカウントに達したとき、カウンターの電気出力に応答して、それぞれの空気バルブを制御するための電気出力を生成するデコーダー回路とをさらに備える、請求項１０のシステム。
【請求項１７】
患者に対して心肺蘇生を実行する携帯型システムであって、
圧縮ガスの第１のガス源を保持する第１の携帯型タンクと、
呼吸可能空気の第２のガス源を保持する第２の携帯型タンクと、
患者の腹部上を広がるように構成された膨張可能腹部用カフと、
患者の胸部上を広がるように構成された膨張可能胸部用カフと、
患者の一方の脚の上部上を少なくとも広がるように構成された少なくとも１つの膨張可能脚部用カフと、
患者の肺と流体接続するためのフェイスマスクと、
システムコントロールユニットとを有し、
システムコントロールユニットが、
複数の電気駆動式空気バルブを備えるバッテリー駆動の電子タイマーモジュールと、
腹部用カフに向かう第１のガス源の第１の流れを制御する第１の空気圧モジュールと、
膨張可能胸部用カフに向かう第１のガス源の第２の流れを制御する第２の空気圧モジュールと、
少なくとも１つの脚部用カフに向かう第１のガス源の第３の流れを制御する第３の空気圧モジュールと、
第２のガス源からフェイスマスクに向かう呼吸可能ガスの流れを制御する人工呼吸用供給モジュールとを備え、
タイマーモジュールが、蘇生モードにおいて、複数の空気弁を自動的に周期的に動作させて、複数のカフを周期的に膨張および収縮させ、
フェイスマスクと人工呼吸用供給モジュールとを接続し、フェイスマスクおよび患者の肺を第２のガス源に周期的に接続する患者用バルブをさらに有する、携帯型システム。
【請求項１８】
システムコントロールユニットが、第１のガス源からのガスの第１、第２、および第３のガスを外気によって希薄化して、腹部用カフ、胸部用カフ、および脚部用カフに供給するための空気希薄化システムをさらに有する、請求項１７のシステム。
【請求項１９】
コントロールユニットが、第１のガス源に接続されたホースと接続するように構成された第１のコネクタポートと、
第２のガス源に接続されたホースと接続するように構成された第２のコネクタポートとをさらに有し、
第１および第２のコネクタポートに、第２のガス源のホースと第１のコネクタポートとの接続を防止する手段および第１のガス源のホースと第２のコネクタポートとの接続を防止する手段が設けられている、請求項１７のシステム。
【請求項２０】
コントロールユニットが、腹部用カフに接続されたホースと接続するために第１の空気圧モジュールに流体連結される第３のコネクタポートと、
胸部用カフに接続されたホースと接続するために第２の空気圧モジュールに流体連結される第４のコネクタポートと、
脚部用カフに接続されたホースと接続するために第３の空気圧モジュールに流体連結される第５のコネクタポートと、
前記患者用バルブと接続するために人工呼吸用供給モジュールに流体接続される第６のコネクタポートとを備える、請求項１９のシステム。
【請求項２１】
複数のカフおよび患者用バルブと対応するコネクタポートとの適切な接続を示すために、前記第３、第４、第５、および第６のコネクタポートそれぞれが、それぞれのホース用目印と対応するコネクタ用目印を備える、請求項２０のシステム。
【請求項２２】
患者用バックボードをさらに有し、
患者に対して即時に対応するために、複数の膨張可能カフがバックボードの規定の適切な位置に取り付け可能にされている、請求項１７のシステム。
【請求項２３】
電子タイマーモジュールが、多段式のリップルカウンタと、タイムベースを提供するレジスタ−キャパシタ共振回路とを有するカウントタイマーを有する、請求項１７のシステム。
【請求項２４】
電子タイマーモジュールが、Ｎ段階の動作シーケンスを提供するためにリセット可能である、請求項２３のシステム。
【請求項２５】
第１の圧縮ガス源からの圧縮ガスの前記第１の流れ、前記第２の流れ、および前記第３の流れを外気によって希薄化する空気導入システムをさらに有する、請求項１７のシステム。
【請求項２６】
患者に対して心肺蘇生を実行するための携帯型システムのためのコントロールユニットであって、
ハウジングと、
ハウジング内に配置されたバッテリー駆動の電子タイマーモジュールと、
ハウジング内に配置された電気駆動式空気バルブをそれぞれ備える複数の空気圧モジュールと、
フェイスマスクに向かう呼吸可能圧縮ガスの流れを制御する人工呼吸用供給モジュールとを有し、
複数の空気圧モジュールが、膨張可能腹部用カフに向かう第１の圧縮ガスの第１の流れを制御する第１の空気圧モジュール、膨張可能胸部用カフに向かう第１の圧縮ガスの第２の流れを制御する第２の空気圧モジュール、および膨張可能脚部用カフに向かう第１の圧縮ガスの第３の流れを制御する第３の空気圧モジュールを含み、
タイマーモジュールが、蘇生モードにおいて、複数の空気バルブを自動的に周期的に動作させて、複数のカフを周期的に膨張および収縮させる、コントロールユニット。
【請求項２７】
コントロールユニットが、第１の圧縮ガスを収容する第１のタンクに接続された第１のホースと接続するように構成された第１のコネクタポートと、
呼吸可能圧縮ガスを収容する第２のタンクに接続された第２のホースと接続するように構成された第２のコネクタポートとを備える、請求項２６のコントロールユニット。
【請求項２８】
第１および第２のコネクタポートが、第２のホースと第１のコネクタポートとの接続を防止するようにおよび第１のホースと第２のコネクタポートとの接続を防止するように構成されている、請求項２７のコントロールユニット。
【請求項２９】
コントロールユニットが、腹部用カフに接続されたホースと接続するために第１の空気圧モジュールに流体連結される第３のコネクタポートと、胸部用カフに接続されたホースと接続するために第２の空気圧モジュールに流体連結される第４のコネクタポートと、脚部用カフに接続された第５のホースと接続するために第３の空気圧モジュールに流体連結される第５のコネクタポートと、フェイスマスクと接続するために人工呼吸用供給モジュールに流体接続される第６のコネクタポートとを備える、請求項２７のシステム。
【請求項３０】
複数のホースおよび複数のコネクタポートとの適切な接続を示すために、前記第３、第４、第５、および第６のコネクタポートそれぞれが、それぞれ固有のホース用目印と固有のコネクタ用目印を備える、請求項２９のシステム。
【請求項３１】
前記第１、第２、第３、第４、第５、および第６のポートがハウジングに取り付けられている、請求項２９のシステム。
【請求項３２】
タイマーモジュールに電力供給するための充電可能なバッテリーをさらに有する、請求項２６のシステム。
【請求項３３】
電子タイマーモジュールが、多段式のリップルカウンタと、タイムベースを提供するレジスタ−キャパシタ共振回路とを有するカウントタイマーを備える、請求項２６のシステム。
【請求項３４】
コントロールユニットを有して患者に対して心肺蘇生を実行するシステムのための使い捨て患者用インターフェースキットであって、
患者の腹部上を広がるように構成された膨張可能腹部用カフと、
腹部用カフと流体接続するように構成され、コントロールユニット上の対応する第１のコネクタと接続するように構成された第１のコネクタを備える第１のホースと、
患者の胸部上を広がるように構成された膨張可能胸部用カフと、
胸部用カフと流体接続するように構成され、コントロールユニット上の対応する第２のコネクタと接続するように構成された第２のコネクタを備える第２のホースと、
患者の一方の脚の上部上を少なくも広がるように構成された少なくとも１つの膨張可能脚部用カフと、
少なくとも１つの脚部用カフに流体接続するように構成され、コントロールユニット上の対応する第３のコネクタと接続するように構成された第３のコネクタを備える第３のホースと、
人工呼吸モジュールとを有し、
人工呼吸モジュールが、患者の肺と流体接続するためのフェイスマスクと、患者用バルブと、患者用バルブと流体接続するように構成され、コントロールユニット上の対応する第４のコネクタと接続するように構成された第４のコネクタを備える第４のホースとを有する、患者用インターフェースキット。
【請求項３５】
前記第１、第２、第３、および第４のコネクタそれぞれが、各コネクタと他のコネクタとを視覚的に区別するために、固有のコネクタ用目印を備える、請求項３４の患者用インターフェースキット。
【請求項３６】
前記カフそれぞれが、膨張可能な空気袋を備える、請求項３４の患者用インターフェースキット。
【請求項３７】
前記カフそれぞれが、患者の適切な位置に固定されるためのフックファスナおよびループファスナを備える、請求項３４の患者用インターフェースキット。